(57)【特許請求の範囲】
【請求項１】
互いに対向し、かつ、周縁が下辺部を残して互いに溶着されている二枚の胴壁シートと、該胴壁シートの下辺部内面に溶着されて該下辺部を閉鎖し、該下辺部より内側に位置する底壁シートと、該底壁シートに取り付けられ、前記下辺部より内側に位置する注出口と、を備えたスタンデイングパウチであって；
前記注出口が、伸縮手段を備えており、
前記伸縮手段が、外面に係止部を有する固定筒と、該固定筒に嵌着され、内面にストッパを有するスライダ筒と、を備えている伸縮手段、又は、
外面におねじ部を有する固定筒と、該固定筒に嵌着され、内面にめねじ部を有するスライダ筒と、を備えている伸縮手段であり、
蓋体の天板には、前記固定筒の内面に当接するシールリングが設けられていることを特徴とするスタンデイングパウチ。
【発明の詳細な説明】
【０００１】
【発明の属する技術分野】
この発明は、容器を圧縮させてその内容物を注出口から流出させるパウチに関するものであり、更に述べると、注出口が下になる様に倒立させておくことができるスタンデイングパウチに関するものである。
【０００２】
【従来の技術】
従来、スタンデイングパウチは、図4に示すように、自立性のパウチ本体１と、注出口２とを備えている。パウチ本体２は、２枚の対向する胴壁シート３，４と、該胴壁シート３，４の下辺部３ａ，４ａに挟持される２つ折りした底壁シート５と、を備えており、下辺部３ａ，４ａを除く周縁３ｃ〜３ｅ及び４ｃ〜４ｅは、互いに溶着されており、底壁シート５の周縁は、該下辺部３ａ、４ａの内面に溶着されている。
底壁シート５には、注出口２が取り付けられており、該注出口２には、スクリュー式蓋体６が設けられている。底壁シート５及び蓋体６は、パウチ本体１の下辺部３ａ，４ａより内側に位置している（特開平７−４１０１０号公報参照）。
【０００３】
【発明が解決しようとする課題】
従来例では、パウチ倒立の際、邪魔にならないように注出口２及び蓋体６をパウチ本体１の下辺部より引っ込めているので、注ぎにくく、又、開蓋の際に蓋体を回しにくい。
【０００４】
この発明は、上記事情に鑑み、注ぎ易くすることを目的とする。
【０００５】
【課題を解決するための手段】
この発明は、互いに対向し、かつ、周縁が下辺部を残して互いに溶着されている二枚の胴壁シートと、該胴壁シートの下辺部内面に溶着されて該下辺部を閉鎖し、該下辺部より内側に位置する底壁シートと、該底壁シートに取り付けられ、前記下辺部より内側に位置する注出口と、を備えたスタンデイングパウチであって；
前記注出口が、伸縮手段を備えており、
前記伸縮手段が、外面に係止部を有する固定筒と、該固定筒に嵌着され、内面にストッパを有するスライダ筒と、を備えている伸縮手段、又は、
外面におねじ部を有する固定筒と、該固定筒に嵌着され、内面にめねじ部を有するスライダ筒と、を備えている伸縮手段であり、
前記蓋体の天板には、前記固定筒の内面に当接するシールリングが設けられていることを特徴とする。
【０００６】
【発明の実施の形態】
本発明は、上記課題を解決するため、注出口に伸縮手段を設け、注出口を使用しないときには、パウチ本体の内側に引っ込めておき、使用するときにはそれを伸ばしてパウチ本体から突出させるものである。
【０００７】
【実施例】
本発明の実施例を図１、図２により説明する。
スタンデイングパウチは、パウチ本体１と、注出口１０とを備えている。
パウチ本体１は、従来例を示す図４と同様に構成されている。
即ち、パウチ本体１は、２枚の対向する胴壁シート３，４と、該胴壁シート３，４の下辺部３ａ，４ａｂに挟持される二つ折りした底壁シート５と、を備えており、下辺部３ａ，４ａを除く周縁３ｃ〜３ｅ及び４ｃ〜４ｅは、互いに溶着されており、底壁シート５の周縁は、下辺部３ａ，４ａの内面に溶着されている。
【０００８】
底壁シート５の中央には、注出口１０が取り付けられている。この注出口１０は、固定筒１１と、該固定筒１１に装着されたスライダ筒１２と、該スライダ筒１２に螺着される蓋体１５と、を備えている。
【０００９】
固定筒１１は、取付フランジ１７を介して、底壁シート５の中央に設けられた開口７の周縁に溶着されている。この固定筒１１の先端部１１ａは、両シート３，４の下辺部３ａ，４ａより内側に位置し、パウチ本体１内に引っ込んでいる。固定筒１１の内側には、遮断壁１８が設けられ、この遮断壁１８の切欠溝１９の内側には、プルリング２０が設けられている。
【００１０】
固定筒１１の外面には、上下２つの係止部２３，３４が設けられており、この係止部２３、２４にスライダ筒１２のストッパ２２が係止すると、スライダ筒１２は、固定筒１１に固定され、摺動できなくなる。
【００１１】
スライダ筒１２の内面下端には、ストッパ２２が設けられ、又、その外面にはおねじ部２５が設けられている。このスライダ筒１２の先端部１２ａは、両シート３，４の下辺部３ａ，４ａより内側に位置し、パウチ本体１内に引っ込んでいる。
【００１２】
蓋体１５の内側には、おねじ部２５に螺合するめねじ部２６と、天板２７に設けたシールリング２８とが設けられ、又、その外側には、滑り止め溝２９が設けられている。
この蓋体１５は、スライダ筒１２に螺着したとき、その天板２７は、両シート３，４の下辺部３ａ，４ａより内側に位置し、パウチ本体１内に引っ込んでいる。
【００１３】
次に、本実施例の作動について説明する。
スタンデイングパウチは、図示しないテーブルの上に、注出口１０を下にして倒立して置かれている。この状態では、注出口１０の蓋体１５は、パウチ本体１の下辺部３ａ，４ａの位置より引っ込んでいるので、該下辺部全体がテーブルに当接し、しっかりと自立している。
【００１４】
パウチ内の内容物、例えば、ケチャップやマヨネーズ等を使用するときには、パウチ本体１を握り、注出口１０を上にした後、蓋体１５を開方向に回し、開蓋する。
【００１５】
プルリング２０を掴んで引っ張ると、切欠溝１９が破断し、遮断壁１８が開口する。
【００１６】
次に、スライダ筒１２を矢印Ａ１２方向に引いてストッパ２２を上係止部２３に係合させ、固定筒１１の先端部１１ａに固定する。
そうすると、スライダ筒１２の先端部１２ａは、パウチ本体１の下辺部３ａ，４ａから突出する。
【００１７】
この状態で、パウチを傾け、注出口１０から内容物を流出させる。この時、注出口１０は、パウチ本体１の下辺部３ａ，４ａｌから突出しているので、注ぎやすい。
なお、蓋体１５が回りにくいときには、スライダ筒１２を矢印Ａ１２方向に引いて蓋体１５をパウチ本体１から突出させ、この状態で蓋体１５を回転すると良い。
【００１８】
内容物の使用後、スライダ筒１２を蓋体１５を螺着し、その後蓋体１５を矢印Ａ１２方向と逆方向に押圧すると、スライダ筒１２のストッパ２２は、下係止部２４に係合し固定筒１１に固定される。
この状態で注出口１０を下にしてテーブル上に倒立させておく。
【００１９】
この発明の第２実施例を図３により説明する。
この実施例と第１実施例（図１、図２）との相違は、次の通りである。
（１）固定筒３１の外面におねじ部３１を設け、スライダ筒３３の内面に前記おねじ部３２と螺合するめねじ部３４を設け、スライダ筒３３の回転により注出口１０が伸縮できるようにしたこと。
（２）スライダ筒３３と蓋体３６とがヒンジ３７結合されており、蓋体３６の前部に掴み部３８が設けられていること。なお、３９は、シールリングである。
【００２０】
【発明の効果】
この発明は、注出口に伸縮手段を設けたので、注出時に伸ばしパウチ本体から突出させることができる。そのため、従来例に比し、注ぎやすくなる。
【図面の簡単な説明】
【図１】本発明の第１実施例を示す一部縦断面正面図である。
【図２】注出口が伸びた状態を示す一部縦断面正面図である。
【図３】本発明の第２実施例を示す一部縦断面正面図で、図２に相当する図である。
【図４】従来例を示す斜視図である。
【符号の説明】
１    パウチ本体
２    注出口
３    胴壁シート
４    胴壁シート
５    底壁シート
６    蓋体
１０  注出口
１２  スライダ筒
１５  蓋体
【図１】
0003944695.tif 000002
【図２】
0003944695.tif 000003
【図３】
0003944695.tif 000004
【図４】
0003944695.tif 000005